(57)【要約】【課題】簡単に映像信号の出力フォーマットを切り替えることができる電子機器を提供する。【解決手段】出力フォーマット設定データには場所に応じて設定すべき映像信号の出力フォーマットが登録されている。スケジュールデータが入力されると、そのスケジュールが登録されている時間帯に設定すべき出力フォーマットが、スケジュールに登録されている場所に応じて出力フォーマット設定データから決定される。そして、時間ごとに設定すべき出力フォーマットが設定された出力フォーマット切替データが作成される。この出力フォーマット切替データに応じて映像出力端子から出力する映像信号の出力フォーマットが自動的に切り替えられる。【選択図】      図７
2005080057.tif 000002
【特許請求の範囲】
【請求項１】
映像出力端子を備えるとともに、該映像出力端子から出力する映像信号の出力フォーマットを切り替える出力フォーマット切替手段を備えた電子機器において、
現在日時を計測する計時手段と、
指定された日時のスケジュール内容がスケジュールデータとして記憶されるスケジュールデータ記憶手段と、
スケジュール内容に応じて設定すべき出力フォーマットの一覧が出力フォーマット設定データとして記録された出力フォーマット設定データ記憶手段と、
前記スケジュールデータ記憶手段に記憶されたスケジュールデータと前記出力フォーマット設定データ記憶手段に記憶された出力フォーマット設定データとに基づいて出力フォーマットの切替スケジュールを設定する切替スケジュール設定手段と、
前記切替スケジュール設定手段で設定された切替スケジュールを記憶する切替スケジュール記憶手段と、
前記計時手段により計測される現在日時に基づき前記切替スケジュール記憶手段に記憶された切替スケジュールに応じて前記出力フォーマット切替手段を制御し、前記映像出力端子から出力する映像信号の出力フォーマットを切り替える切替制御手段と、
を備えたことを特徴とする電子機器。
【請求項２】
前記スケジュール内容には、行き先となる場所のデータが含まれ、前記切替スケジュール設定手段は、前記スケジュールデータ記憶手段に記憶された場所のデータと前記出力フォーマット記憶手段に記憶された場所のデータとに基づいて切替スケジュールを設定することを特徴とする請求項１に記載の電子機器。
【請求項３】
前記スケジュールデータ記憶手段には、外部機器で作成したスケジュールデータが記憶されることを特徴とする請求項１又は２に記載の電子機器。
【請求項４】
前記電子機器は、撮像手段によって取得された画像データ又は記録メディアに格納された画像データを所定の出力フォーマットの映像信号に変換して前記映像出力端子から出力する電子カメラであることを特徴とする請求項１、２又は３に記載の電子機器。
【発明の詳細な説明】
【技術分野】
【０００１】
本発明は電子機器に係り、特に電子カメラ等の映像出力端子を備えた携帯可能な電子機器に関する。
【背景技術】
【０００２】
電子カメラには映像出力端子を備えたものも多数存在し、撮影した画像をテレビで観賞できるようにしている。
【０００３】
ところで、テレビに映し出す映像信号の出力フォーマットは地域によって異なっており、海外旅行などに行った場合には、その滞在先の地域に合わせた出力フォーマットで映像信号を出力する必要がある。
【０００４】
従来の電子カメラの場合、この出力フォーマットの切り替えをユーザがメニュー画面等から呼び出して行なっていた。また、特許文献１では、各地域に特有の事象（日付表記形式や言語形態）を選択肢として、映像信号の出力フォーマットとを関連付けて保持し、ユーザが選択肢を選択すると、選択した選択肢に対応する映像信号の出力フォーマットに自動的に切り替えるようにしている。
【特許文献１】特開２０００−３０８０１３号公報
【発明の開示】
【発明が解決しようとする課題】
【０００５】
しかしながら、従来の電子カメラのように、メニュー画面で出力フォーマットの切り替えを設定する方式では、設定に手間がかかるという欠点がある。また、特許文献１の方式は、選択肢を選択すれば、自動的に映像信号の出力フォーマットが切り替えられるが、その選択肢を選択するための操作が必要になり、設定に手間がかかるという欠点がある。
【０００６】
本発明は、このような事情に鑑みてなされたもので、簡単に映像信号の出力フォーマットを切り替えることができる電子機器を提供することを目的とする。
【課題を解決するための手段】
【０００７】
請求項１に係る発明は、前記目的を達成するために、映像出力端子を備えるとともに、該映像出力端子から出力する映像信号の出力フォーマットを切り替える出力フォーマット切替手段を備えた電子機器において、現在日時を計測する計時手段と、指定された日時のスケジュール内容がスケジュールデータとして記憶されるスケジュールデータ記憶手段と、スケジュール内容に応じて設定すべき出力フォーマットの一覧が出力フォーマット設定データとして記録された出力フォーマット設定データ記憶手段と、前記スケジュールデータ記憶手段に記憶されたスケジュールデータと前記出力フォーマット設定データ記憶手段に記憶された出力フォーマット設定データとに基づいて出力フォーマットの切替スケジュールを設定する切替スケジュール設定手段と、前記切替スケジュール設定手段で設定された切替スケジュールを記憶する切替スケジュール記憶手段と、前記計時手段により計測される現在日時に基づき前記切替スケジュール記憶手段に記憶された切替スケジュールに応じて前記出力フォーマット切替手段を制御し、前記映像出力端子から出力する映像信号の出力フォーマットを切り替える切替制御手段と、を備えたことを特徴とする電子機器を提供する。
【０００８】
本発明によれば、スケジュールデータ記憶手段に記憶されたスケジュールデータと出力フォーマット設定データ記憶手段に記憶された出力フォーマット設定データとに基づいて出力フォーマットの切替スケジュールが切替スケジュール設定手段によって設定され、切替スケジュール記憶手段に記憶される。切替制御手段は、計時手段で計測される現在日時に基づいて、この切替スケジュール記憶手段に記憶された切替スケジュールに従って映像出力端子から出力する映像信号の出力フォーマットを切り替える。すなわち、本発明によれば、スケジュールデータに登録したスケジュール内容に応じて自動的に映像出力端子から出力する映像信号の出力フォーマットが切り替えられる。これにより、簡単に映像信号の出力フォーマットを切り替えることができる。
【０００９】
また、請求項２に係る発明は、前記目的を達成するために、前記スケジュール内容には、行き先となる場所のデータが含まれ、前記切替スケジュール設定手段は、前記スケジュールデータ記憶手段に記憶された場所のデータと前記出力フォーマット記憶手段に記憶された場所のデータとに基づいて切替スケジュールを設定することを特徴とする請求項１に記載の電子機器を提供する。
【００１０】
本発明によれば、スケジュールとして登録された行き先（場所）に応じて切替スケジュールが設定される。これにより、行き先に応じて映像信号の出力フォーマットを自動切替することができる。
【００１１】
また、請求項３に係る発明は、前記目的を達成するために、前記スケジュールデータ記憶手段には、外部機器で作成したスケジュールデータが記憶されることを特徴とする請求項１又は２に記載の電子機器を提供する。
【００１２】
本発明によれば、たとえばＰＣ（Personal Computer ）やＰＤＡ（Personal Digital Assistant）、携帯電話機等で作成したスケジュールデータを電子機器に取り込み、そのスケジュールデータに基づいて出力フォーマットの切替スケジュールが設定される。
【００１３】
また、請求項４に係る発明は、前記目的を達成するために、前記電子機器は、撮像手段によって取得された画像データ又は記録メディアに格納された画像データを所定の出力フォーマットの映像信号に変換して前記映像出力端子から出力する電子カメラであることを特徴とする請求項１、２又は３に記載の電子機器を提供する。
【００１４】
本発明によれば、電子カメラに備えられた映像出力端子から出力される映像信号の出力フォーマットをスケジュールに応じて自動切替することができる。
【発明の効果】
【００１５】
本発明によれば、スケジュールデータに基づいて映像出力端子から出力する映像信号の出力フォーマットを自動切替することができるので、簡単に映像信号の出力フォーマットを切り替えることができる。
【発明を実施するための最良の形態】
【００１６】
以下、添付図面に従って本発明に係る電子機器の好ましい実施の形態について詳説する。
【００１７】
図１〜図４は、それぞれ本発明が適用された電子カメラ１０の一実施形態を示す正面図、左側面図、背面図、右側面図である。
【００１８】
カメラボディ１２の正面には、図１に示すように、撮影レンズ１４、ストロボ１６、ストロボ調光センサ１８、バッテリカバー２０等が設けられている。
【００１９】
撮影レンズ１４は、沈胴式のズームレンズで構成されており、カメラの電源を投入すると、カメラボディ１２から繰り出される。
【００２０】
開閉自在に設けられたバッテリカバー２０の内側には、図示しないバッテリ収納室が設けられており、このバッテリ収納室にバッテリが装填される。
【００２１】
カメラボディ１２の左側面には、図２に示すように、レリーズボタン２２、ズームレバー２４、ストロボボタン２６、マクロボタン２８等が設けられている。
【００２２】
レリーズボタン２２は、いわゆる「半押し」と「全押し」とからなる二段式のスイッチで構成されている。電子カメラ１０は、このレリーズボタン２２が半押しされると、ＡＥ／ＡＦが作動し、全押しされると、撮影が実行される。
【００２３】
ズームレバー２４は、撮影時に撮影画像のズーム（テレ／ワイド）を指示するボタンとして機能するとともに、再生時に表示画像のズーム（拡大／縮小）を指示するボタンとして機能する。このズームレバー２４は、上下方向にスライド自在に設けられており、上方向に操作することにより、ズームがテレ側（撮影時）又は拡大側（再生時）に操作され、下方向に操作することにより、ズームがワイド側（撮影時）又は縮小側（再生時）に操作される。
【００２４】
ストロボボタン２６は、撮影時にストロボモードの切り替えを指示するボタンとして機能し、マクロボタン２８は、撮影時にマクロ機能のＯＮ／ＯＦＦを指示するボタンとして機能する。
【００２５】
カメラボディ１２の背面には、図３に示すように、液晶モニタ３０、表示ボタン３２、メニュー／ＯＫボタン３４、十字ボタン３６、ＢＡＣＫボタン３８、電源ボタン４０、モードスイッチ４２、スピーカ４４等が設けられている。
【００２６】
モードスイッチ４２は、カメラのモードを切り替えるスイッチとして機能し、このモードスイッチ４２をスライド操作することにより、カメラのモードが「カメラモード」と「再生モード」のいずれか一方に設定される。ここで、「カメラモード」は、静止画撮影を行なうモードであり、「再生モード」は、そのカメラモードで撮影された撮影画像を液晶モニタ３０上に再生表示するモードである。
【００２７】
液晶モニタ３０は、再生モード時に撮影画像を表示して再生用モニタとして使用されるとともに、テレビモード時にテレビ映像を表示してテレビ用モニタとして使用される。また、カメラモード時には、撮影前のスルー画像を表示して電子ビューファインダとして使用され、各種設定時には、メニュー項目を表示してメニュー画面として使用される。
【００２８】
表示ボタン３２は、後述するように、この液晶モニタ３０の表示内容の切り替えを指示するボタンとして機能する。
【００２９】
メニュー／ＯＫボタン３４は、各モードの通常画面からメニュー画面への遷移を指示したり、選択内容の確定（登録）や処理実行（確認）を指示するボタンとして機能する。
【００３０】
十字ボタン３６は、上下左右四方向の指示を入力するボタンとして機能し、メニュー画面などから所望の項目を選択したり、各メニューにおける各種設定項目の選択内容を指示する際に使用される。
【００３１】
ＢＡＣＫボタン３８は、入力操作のキャンセル等を指示するボタンとして機能し、各種設定操作等を途中でやめるときなどに使用される。
【００３２】
カメラボディ１２の右側面には、図４に示すように、カメラをテレビに接続するための映像出力端子４６、ＰＣ等に接続するためのＵＳＢ端子４８、電源アダプタに接続するための電源入力端子４９等が設けられている。
【００３３】
カメラをテレビに接続する場合は、映像出力端子４６にビデオケーブルのコネクタを接続する。そして、そのビデオケーブルのピンプラグをテレビの映像入力端子に接続する。これにより、電子カメラ１０で撮影したスルー画像や記録メディアに記録された撮影済み画像をテレビの画面に映し出すことができる。
【００３４】
また、カメラをＰＣ等に接続する場合は、ＵＳＢ端子４８にＵＳＢケーブルの一方のコネクタを接続する。そして、ＵＳＢケーブルの他方側のコネクタをＰＣのＵＳＢ端子に接続する。これにより、ＰＣとの間で画像データを含むデータの送受信が可能になる。
【００３５】
また、カメラのバッテリを充電する場合は、電源入力端子４９に電源アダプタの接続プラグを接続する。これにより、バッテリ収納室に装填されたバッテリが充填される。
【００３６】
なお、図示しないカメラボディ１２の下面には、開閉自在なメディアカバーが設けられており、その内側に設けられたメディアスロットに記録メディアが装填される。そして、このメディアスロットに装填された記録メディアに画像データ等が記録される。
【００３７】
図５は電子カメラ１０の内部構成を示すブロック図である。同図に示すように、電子カメラ１０は、中央処理装置（ＣＰＵ）５０、ＲＯＭ５２、ＲＡＭ５４、ＥＥＰＲＯＭ５６、ＣＣＤ５８、アナログ処理部６０、Ａ／Ｄ変換器６２、画像入力コントローラ６４、画像処理部６６、圧縮伸張部６８、ＶＲＡＭ７８、ビデオエンコーダ８０、メモリコントローラ８２、記録メディア８４、ＵＳＢインターフェイス８６、タイマ８８等で構成されている。
【００３８】
ＣＰＵ５０は、所定のプログラムに従って電子カメラ全体の動作を統括制御する。すなわち、ＣＰＵ５０は、ＲＡＭ５４を作業領域としながら、操作部（レリーズボタン２２、ズームレバー２４、ストロボボタン２６、マクロボタン２８、表示ボタン３２、メニュー／ＯＫボタン３４、十字ボタン３６、ＢＡＣＫボタン３８、電源ボタン４０、モードスイッチ４２等）９４から入力される操作信号に基づいて電子カメラ内の各回路を制御し、撮影制御、画像処理制御、通信制御、映像信号出力フォーマットの切替制御、液晶モニタ３０の表示制御などを行う。ＲＯＭ５２には、このＣＰＵ５０が実行するプログラムや制御に必要な各種データなどが格納されている。また、ＥＥＰＲＯＭ５６には、ユーザが設定した各種設定データが記憶されている。
【００３９】
撮影レンズ１４を通過した光は、ＣＣＤ５８の受光面上に焦点を結ぶ。ＣＣＤ５８の受光面には、多数のフォトセンサ（受光素子）が平面的に配列されており、この受光面に結像された被写体像は、各フォトセンサによって入射光量に応じた量の信号電荷に変換される。各フォトセンサに蓄積された信号電荷は、タイミングジェネレータ（ＴＧ）９２から与えられる駆動パルスに基づいて信号電荷に応じた電圧信号（画像信号）として順次読み出される。
【００４０】
ＣＣＤ５８から読み出された画像信号は、アナログ処理部６０に送られ、ここで各画素ごとのＲ、Ｇ、Ｂ信号がサンプリングホールドされるとともに増幅される。アナログ処理部６０から出力されたアナログのＲ、Ｇ、Ｂ信号は、Ａ／Ｄ変換器６２でデジタルのＲ、Ｇ、Ｂ信号に変換されたのち、画像入力コントローラ６４を介してＲＡＭ５４に取り込まれ、そして、ＲＡＭ５４から画像処理部６６に送られる。
【００４１】
画像処理部６６は、同時化回路（単板ＣＣＤのカラーフィルタ配列に伴う色信号の空間的なズレを補間して各点の色を計算する処理回路）、輝度・色差信号生成回路、ガンマ補正回路、輪郭補正回路、ホワイトバランス補正回路等を含むデジタル画像信号処理手段であり、ＣＰＵ５０からのコマンドに従ってＲＡＭ５４を活用しながら入力された画像信号を処理する。
【００４２】
画像処理部６６でホワイトバランス調整処理、ガンマ変換処理、輝度信号（Ｙ信号）及び色差信号（Ｃr,Ｃb 信号）への変換処理（ＹＣ処理）などの所定の信号処理が施された画像データはＶＲＡＭ７８に加えられる。撮影中の映像を液晶モニタ３０に表示させる場合には、このＶＲＡＭ７８の内容がビデオエンコーダ８０を介して液晶モニタ３０に出力する。これにより、ＣＣＤ５８で捉えたリアルタイム映像（スルー画像）が、液晶モニタ３０に表示される。撮影者は、この液晶モニタ３０の表示映像によって撮影画角（構図）を確認することができる。
【００４３】
なお、ビデオエンコーダ８０からの映像信号は、Ｄ／Ａ変換器９０を介して映像出力端子４６にも出力される。この映像出力端子４６にビデオケーブルのコネクタを接続し、ピンプラグをテレビの映像入力端子に接続することにより、ＣＣＤ５８で捉えたスルー画像がテレビに表示される。この際、ビデオエンコーダ８０は、ＣＰＵ５０からのコマンドに従い画像データを所定形式の映像信号（ＮＴＳＣ、ＰＡＬ、ＳＥＣＡＭ）に変換して映像出力端子４６から出力する。この映像信号の切り替えについては、後に詳述する。
【００４４】
カメラモードの下、ユーザがレリーズボタン２２を押すと、ＣＰＵ５０は、これを検知して、記録用の撮影動作を実行する。すなわち、レリーズボタン２２の押下に応動してＣＣＤ５８の露光制御及び電荷の読み出し制御を行なう。こうして取り込まれた記録用の画像データは、画像処理部６６でＹＣ処理その他の所定の信号処理を経た後、圧縮伸張部６８に送られる。そして、圧縮伸張部６８で所定の圧縮フォーマット（たとえば、JPEG形式) に従って圧縮されたのち、画像ファイルとしてメモリコントローラ８２を介して記録メディア８４に格納される。
【００４５】
記録メディア８４に記録された画像ファイルは、再生モードの下、ユーザのファイル選択操作に応じて記録メディア８４から読み出される。記録メディア８４から読み出された画像データは、圧縮伸張部６８で伸張されたのち、ＶＲＡＭ７８を介してビデオエンコーダ８０に加えられ、ここで表示用の信号形式に変換されたのち、液晶モニタ３０に出力される。これにより、撮影した画像が液晶モニタ３０に表示される。
【００４６】
なお、映像出力端子４６を介してビデオケーブルでカメラをテレビに接続することにより、テレビに画像を映し出すことができる。
【００４７】
電子カメラ１０は、また、ＰＣやＰＤＡ、携帯電話機などの外部機器と接続するためのＵＳＢインターフェイス８６を備えており、ＵＳＢインターフェイス８６は、ＵＳＢケーブルを介してＵＳＢ端子４８に接続されたＰＣやＰＤＡなどの外部機器との間で画像データを含むデータの双方向通信を行う。
【００４８】
また、電子カメラ１０は、現在日時を計測するためのタイマ８８を備えており、このタイマ８８から得られた日時情報に基づいて撮影日時のデータが画像データと共に画像ファイルに記録される。また、操作部９４で時計の表示を指示する操作がなされると、ＣＰＵ５０は、このタイマ８８から出力される現在の日時情報に基づいて液晶モニタ３０に日付や時間等を表示させる。
【００４９】
さらに、操作部９４でスケジュールの表示を指示する操作がなされると、ＣＰＵ５０は、ＥＥＰＲＯＭ５６に格納されたスケジュールデータを読み出し、図６に示すように、液晶モニタ３０にスケジュールの画面を表示する。
【００５０】
ここで、スケジュールの表示指示は、たとえばメニュー画面から行うものとし、メニュー画面を呼び出し、スケジュールの表示を選択すると、図６（ａ）に示すように、液晶モニタ３０にカレンダーが１ヶ月単位で表示される。そして、現在日がカーソルの点滅で表示される。この状態でユーザがメニュー／ＯＫボタン３４を押すと、図６（ｂ）に示すように、その日に登録したスケジュールが液晶モニタ３０に表示される。
【００５１】
このスケジュールは、「メモ」と「場所（行き先）」の情報からなり、分単位で期間を指定して登録できるようにされている。そして、このスケジュールは、ＰＣやＰＤＡ等の外部機器で作成され、ＵＳＢ端子４８を介してＰＣ等から取得される。ＣＰＵ５０は、ＰＣ等から取得したスケジュールデータをＥＥＰＲＯＭ５６に記録する。
【００５２】
さて、上記のように、本実施の形態の電子カメラ１０は、カメラボディ１２に映像出力端子４６を備えており、この映像出力端子４６にビデオケーブルのコネクタを接続し、ピンプラグをテレビの映像入力端子に接続することにより、ＣＣＤ５８で捉えたスルー画像又は記録メディア８４に記録された撮影済み画像をテレビに表示することができる。
【００５３】
ところで、テレビに画像を映し出す場合、映像出力端子４６から出力する映像信号の方式は、接続するテレビ側の映像信号の方式に合わせる必要がある。このテレビの映像信号の方式は、地域によって異なっており、たとえば、日本やアメリカではＮＴＳＣ（National Television System Committee）、イギリスや西ヨーロッパの一部、アジアでは、ＰＡＬ（Phase Alternation by Line ）、フランスやロシア、東欧などではＳＥＣＡＭ（Sequentiel Couleus Avec Memoire ）が使用されている。
【００５４】
本実施の形態の電子カメラ１０は、スケジュールデータを利用して映像出力端子４６から出力する映像信号の出力フォーマットを自動的に切り替える。以下、この映像信号の出力フォーマットの自動切替方法について説明する。
【００５５】
映像信号の出力フォーマットの切り替えは、ビデオエンコーダ８０で行なわれる。ビデオエンコーダ８０は、ＣＰＵ５０からのコマンドに従って出力する映像信号のフォーマットを『ＮＴＳＣ』、『ＰＡＬ』又は『ＳＥＣＡＭ』に切り替える。この際、ＣＰＵ５０は、あらかじめ設定された「出力フォーマット切替データ」に従って映像信号の出力フォーマットを変換する。
【００５６】
「出力フォーマット切替データ」は、図７( ｃ）に示すように、単位時間ごとに設定する映像信号の出力フォーマットを定めたもので「スケジュールデータ」と「出力フォーマット設定データ」とに基づいて作成される。
【００５７】
「出力フォーマット設定データ」は、図７（ｂ）に示すように、場所（行き先）ごとに設定すべき映像信号の出力フォーマットを定めたものであり、ＥＥＰＲＯＭ５６に記録されている。
【００５８】
ＣＰＵ５０は、スケジュールデータが入力されると、そのスケジュールデータに登録されている各スケジュールの「場所（行き先）」が、どの形式の出力フォーマットに該当するか、出力フォーマット設定データに基づいて判定する。そして、そのスケジュールが登録された時間帯の出力フォーマットが、判定した出力フォーマットになるように「出力フォーマット切替データ」を作成する。
【００５９】
たとえば、図７（ａ) に示すスケジュールデータの場合、出力フォーマット設定データに基づいて出力フォーマット切替データを作成すると、２００３年８月１日の１０：００−１１：３０のスケジュールに登録された場所「日本」は、出力フォーマット設定データに拠ると『ＮＴＳＣ』に設定されているので、このスケジュールが登録された日時、すなわち２００３年８月１日の１０：００−１１：３０は、出力フォーマットが『ＮＴＳＣ』になるように出力フォーマット切替データが設定される。
【００６０】
一方、２００３年８月２日の９：００−２１：００と２００３年８月３日の９：００−２１：００のスケジュールに登録された場所「イギリス」は、出力フォーマット設定データに拠ると『ＰＡＬ』に設定されているので、このスケジュールが登録された日時、すなわち２００３年８月２日の９：００−２１：００と２００３年８月３日の９：００−２１：００は、出力フォーマットが『ＰＡＬ』になるように出力フォーマット切替データが設定される。
【００６１】
また、２００３年８月５日の１４：００−１６：００のスケジュールに登録された場所「フランス」は、出力フォーマット設定データに拠ると『ＳＥＣＡＭ』に設定されているので、このスケジュールが登録された日時、すなわち２００３年８月５日の１４：００−１６：００は、出力フォーマットが『ＳＥＣＡＭ』になるように出力フォーマット切替データが設定される。
【００６２】
さらに、２００３年８月７日の９：００−２１：００のスケジュールに登録された場所「イタリア」は、出力フォーマット設定データに拠ると『ＰＡＬ』に設定されているので、このスケジュールが登録された日時、すなわち２００３年８月７日の９：００−２１：００は、出力フォーマットが『ＰＡＬ』になるように出力フォーマット切替データが設定される。
【００６３】
また、２００３年８月１０日の９：００−２１：００のスケジュールに登録された場所「アメリカ」は、出力フォーマット設定データに拠ると『ＮＴＳＣ』に設定されているので、このスケジュールが登録された日時、すなわち２００３年８月１０日の９：００−２１：００は、出力フォーマットが『ＮＴＳＣ』になるように出力フォーマット切替データが設定される。
【００６４】
このように、スケジュールデータに登録された各スケジュールごとに設定すべき出力フォーマットを決定し、出力フォーマット切替データを作成する。
【００６５】
なお、スケジュールが登録されていない時間帯、あるいはスケジュールが登録されていても場所のデータが登録されていない場合は、デフォルトとして出力フォーマットが『ＮＴＳＣ』に設定される。このデフォルトの設定は、ユーザが任意に設定できるものとし、メニュー画面等を利用して設定される。
【００６６】
また、スケジュールに登録された「場所」が「出力フォーマット設定データ」にない場合は、ユーザが、その登録した「場所」に対応する「出力フォーマット」を設定する。この場合、ユーザが設定した「場所」と「出力フォーマット」のデータが新たに追加されて「出力フォーマット設定データ」が更新される。なお、「出力フォーマット」の設定は、たとえば、液晶モニタ３０上で『ＮＴＳＣ』、『ＰＡＬ』、『ＳＥＣＡＭ』のいずれかを選択して設定することにより行なう。
【００６７】
また、スケジュールデータは、たとえば１年分を登録できるようになっており、出力フォーマット切替データもスケジュールデータに対応して１年分が登録できるようになっている。
【００６８】
前記のごとく構成された本実施の形態の電子カメラ１０の作用は、次のとおりである。
【００６９】
電子カメラ１０は、「スケジュールデータ」から作成された「出力フォーマット切替データ」に従って映像出力端子４６から出力する映像信号の出力フォーマットを自動切替する。まず、この「出力フォーマット切替データ」の作成手順を説明する。
【００７０】
スケジュールデータは、ＰＣ等の外部機器で作成し、その作成されたデータを電子カメラ１０に取り込む。スケジュールデータの取り込みは、カメラボディ１２に設けられたＵＳＢ端子４８を用いて行なう。すなわち、電子カメラ１０のＵＳＢ端子４８とＰＣ等のＵＳＢ端子をＵＳＢケーブルで接続し、ＵＳＢインターフェイス８６を介してＰＣ等からスケジュールデータを取得する。取得したスケジュールデータは、ＥＥＰＲＯＭ５６に記録される。この際、古いスケジュールデータが残されている場合は、新たなスケジュールデータに書き換えられて記録される。
【００７１】
スケジュールデータが取得されると、ＣＰＵ５０は、そのスケジュールデータに基づき出力フォーマット切替データを更新する。すなわち、各スケジュールに登録されている場所に対応する出力フォーマットを出力フォーマット設定データから求め、そのスケジュールが登録された時間帯の出力フォーマットが、求めた出力フォーマットになるように、出力フォーマット切替データを作成する。そして、作成した出力フォーマット切替データをＥＥＰＲＯＭ５６に記録する。
【００７２】
以上の処理をスケジュールデータが入力されるたびに実行し、そのたびに出力フォーマット切替データを更新する。
【００７３】
そして、このように作成された出力フォーマット切替データに基づいてＣＰＵ５０は映像出力端子４６から出力する映像信号の出力フォーマットを切り替える。すなわち、ＣＰＵ５０は、タイマ８８から出力される現在日時の情報とＥＥＰＲＯＭ５６に記憶されている出力フォーマット切替データとに基づき現時刻に設定すべき出力フォーマットを決定する。そして、決定した出力フォーマットの映像信号が出力されるようにビデオエンコーダ８０にコマンドを出力する。この処理を分単位で繰り返し実行し、毎分ごとに出力フォーマット切替データに応じた出力フォーマットを設定する。これにより、出力フォーマット切替データに従って映像出力端子４６から出力される映像信号の出力フォーマットが自動的に切り替えられる。
【００７４】
なお、本実施の形態では、スケジュールを分単位で入力できるように設定されていることから、分単位で出力フォーマット切替データを作成し、分単位で出力フォーマットの設定を行なっているが、スケジュールを１時間単位で入力するように設定されている場合には、１時間単位で出力フォーマット切替データを作成し、１時間単位で出力フォーマットの設定を行なうようにする。同様にスケジュールを３０分単位で入力するように設定されている場合には、３０分単位で出力フォーマット切替データを作成し、３０分単位で出力フォーマットの設定を行なうようにする。
【００７５】
このように、本実施の形態の電子カメラ１０によれば、スケジュールデータを入力すると、そのスケジュールデータに応じて映像出力端子４６から出力する映像信号の出力フォーマットが自動的に切り替えられる。これにより、面倒な設定を行なうことなく、また、設定のし忘れなども生じさせることなく、簡単に映像信号の出力フォーマットを切り替えることができる。
【００７６】
なお、本実施の形態では、スケジュールに登録された場所に応じて映像信号の出力フォーマットを切り替えるようにしているが、スケジュールに登録されたメモの内容に応じて映像信号の出力フォーマットを切り替えるようにしてもよい。
【００７７】
また、スケジュールに登録する情報（スケジュール内容）には、「メモ」と「場所」以外の情報（たとえば、件名（タイトル）等）を登録できるようにしてもよい。そして、その新たに登録された情報に基づいて出力フォーマットを切り替えるようにしてもよい。
【００７８】
また、本実施の形態では、スケジュールデータをＰＣやＰＤＡ等の外部機器から取得するようにしているが、電子カメラでスケジュールの入力ができるようにしてもよい。この場合、たとえば、ＰＤＡのように、電子カメラの液晶モニタをタッチパネルで構成し、スタイラスペンで文字データを入力できるようにする。また、キーボード等の入力手段を接続して、文字データの入力ができるようにする。
【００７９】
また、本実施の形態では、電子カメラ１０にスケジュール管理機能を持たせ、取得したスケジュールデータを液晶モニタ３０に表示できるようにしているが、スケジュールデータは、出力フォーマット切替データの作成にのみ使用し、液晶モニタ３０への表示はしないようにしてもよい。すなわち、電子カメラ１０にはスケジュール管理機能を持たせなくてもよい。
【００８０】
さらに、本実施の形態では、本発明を電子カメラに適用した場合を例に説明したが、本発明の適用は、これに限られるものではなく、映像出力端子を備えた電子機器全般に適用することができる。たとえば、映像出力端子を備えたビデオカメラやノートパソコン、ＰＤＡ等にも同様に適用することができる。
【００８１】
また、本実施の形態では、ビデオエンコーダ８０にて映像出力端子４６から出力する映像信号を切り替えるようにしているが、他の方法で切り替えるようにしてもよい。
【図面の簡単な説明】
【００８２】
【図１】本発明が適用された電子カメラの一実施形態を示す正面図
【図２】本発明が適用された電子カメラの一実施形態を示す左側面図
【図３】本発明が適用された電子カメラの一実施形態を示す背面図
【図４】本発明が適用された電子カメラの一実施形態を示す右側面図
【図５】本発明が適用された電子カメラの内部構成を示すブロック図
【図６】スケジュールの表示例を示す説明図
【図７】スケジュールデータ、出力フォーマット設定データ、出力フォーマット切替データを示す図
【符号の説明】
【００８３】
１０…電子カメラ、１２…カメラボディ、１４…撮影レンズ、１６…ストロボ、１８…ストロボ調光センサ、２０…バッテリカバー、２２…レリーズボタン、２４…ズームレバー、２６…ストロボボタン、２８…マクロボタン、３０…液晶モニタ、３２…表示ボタン、３４…メニュー／ＯＫボタン、３６…十字ボタン、３８…ＢＡＣＫボタン、４０…電源ボタン、４２…モードスイッチ、４４…スピーカ、４６…映像出力端子、４８…ＵＳＢ端子、４９…電源入力端子、５０…中央処理装置（ＣＰＵ）、５２…ＲＯＭ、５４…ＲＡＭ、５６…ＥＥＰＲＯＭ、５８…ＣＣＤ、６０…アナログ処理部、６２…Ａ／Ｄ変換器、６４…画像入力コントローラ、６６…画像処理部、６８…圧縮伸張部、７８…ＶＲＡＭ、８０…ビデオエンコーダ、８２…メモリコントローラ、８４…記録メディア、８６…ＵＳＢインターフェイス、８８…タイマ、９０…Ｄ／Ａ変換器、９２…タイミングジェネレータ（ＴＧ）、９４…操作部
【図１】
2005080057.tif 000003
【図２】
2005080057.tif 000004
【図３】
2005080057.tif 000005
【図４】
2005080057.tif 000006
【図５】
2005080057.tif 000007
【図６】
2005080057.tif 000008
【図７】
2005080057.tif 000009